(57)【要約】      （修正有）【課題】簡単に施工でき、防虫効果と耐震強度の向上を効率良い構成で実現させるうえ、防虫効果を長期に維持できる木造建物の防虫構造を提供する。【解決手段】第１の構造材１２に設けられたほぞ１６と、該ほぞ１６が嵌合される第２の構造材１４に設けられたほぞ穴１８と、該ほぞ１６をほぞ穴１８に嵌合した状態で該ほぞ１６とほぞ穴１８に対して直交する方向に差し込まれ、それらのほぞ１６とほぞ穴１８を同時に貫通して抜け止め固定する込み栓２２とを設ける。さらに、込み栓２２の挿入先端側に設けられ固体状又は練り状の防虫剤を担持した先端薬剤部２４と、該込み栓２２の外周面に挿入先端側から挿入基端側に向けて長く形成され先端薬剤部２４から防虫成分を外周面に沿って誘導させうる１つ又は複数の誘導溝２６とを設けて木造建物の防虫構造１０を構成する。 【選択図】図１
0003159969.tif 000002
【実用新案登録請求の範囲】
【請求項１】
木造建物において２つの構造材が連結される部分に設けられる防虫構造であり、
第１の構造材に設けられたほぞと、
該ほぞが嵌合される第２の構造材に設けられたほぞ穴と、
該ほぞをほぞ穴に嵌合した状態で該ほぞとほぞ穴に対して直交する方向に差し込まれ、それらのほぞとほぞ穴を同時に貫通して抜け止め固定する込み栓と、を備え、
込み栓は、該込み栓の挿入先端側に設けられ固体状又は練り状の防虫剤を担持した先端薬剤部と、
該込み栓の外周面に挿入先端側から挿入基端側に向けて長く形成され先端薬剤部から防虫成分を外周面に沿って誘導させうる１つ又は複数の誘導溝と、を有することを特徴とする木造建物の防虫構造。
【請求項２】
誘導溝内に固体状又は練り状の防虫剤を予め充填したことを特徴とする請求項１記載の建物の防虫構造。
【請求項３】
先端薬剤部は、込み栓の挿入先端から内部側に凹設され、防虫剤を内部に収容させる収容凹部を有する請求項１又は２記載の建物の防虫構造。
【請求項４】
収容凹部と誘導溝とは、込み栓の外周面側から内部側に向けて穿孔された連通孔で連通された請求項３記載の建物の防虫構造。
【請求項５】
誘導溝は、込み栓の外周面を螺旋状に周回する螺旋溝を含む請求項１ないし４のいずれかに記載の建物の防虫構造。
【請求項６】
誘導溝は、込み栓の挿入先端側から挿入基端側に向けて直線状に長く形成された長溝を含む請求項１ないし５のいずれかに記載の建物の防虫構造。
【考案の詳細な説明】
【技術分野】
【０００１】
本考案は、シロアリ等の害虫による建物被害を防止する木造建物の防虫構造に関する。
【背景技術】
【０００２】
木造建物ではシロアリによる食害を受けるおそれがある。シロアリは温暖、暗所、多湿環境を好むことから、その被害を受ける場所は、特に湿気が多く換気が悪い床下等の基礎が多い。しかしながら、シロアリは基礎から上に這い上がって、土台、柱材、さらには屋根裏材等を含む建物全体の構造材まで被害が及ぶ場合もある。シロアリは、柱材等の構造材の内部に侵入しその内部から徐々に蝕んでいくため、その被害を建物の外側から確認するのは困難である。よって、居住者が知らない間に被害が進行する結果、手遅れとなって甚大な被害を受けたり、大掛かりな駆除あるいは補修等に高い費用がかかるおそれがあった。従来のシロアリ対策としては、シロアリが構造材に侵入するのを予防するために事前に床下や柱材等に液体状のシロアリ防止剤を散布したり、柱材等にシロアリ駆除剤を注入したりする方法などが知られている。例えば、特許文献１には、柱材等の構造材の処々に小穴を形成し、その穴の中に駆除剤を注入した後、穴口に木栓を嵌めて閉塞しておくシロアリ駆除方法が開示されている。この特許文献１記載の木栓は、一端を太く他端を細くした短い紡錘形状をなし、太い一端側について一定幅部分を孔の内壁に密接するように隆起させたものであった。
【先行技術文献】
【特許文献】
【０００３】
【特許文献１】実開昭５３−５３１７１号公報
【考案の概要】
【考案が解決しようとする課題】
【０００４】
従来の床下にシロアリ防止剤を散布する方法では、散布作業の際に労力及び時間がかかるが、薬剤の効果が比較的短く費用対効果が悪いものであった。また、特許文献１のような駆除方法では、作業現場では孔をあけた後に、薬剤を穴奥に注入する工程と、木栓を孔に嵌める工程との複数段階の工程が必要で、手間暇がかかるものであった。さらに、処理後には、柱材等の構造材は薬剤を注入した空隙空間が残されるので構造材の強度の不安があった。また、構造材にシロアリ防止のためだけに別途に作業するものであるから非効率なものとなっていた。
【０００５】
本考案は、上記従来の課題に鑑みてなされたものであり、その一つの目的は、簡単に施工でき、防虫効果と耐震強度の向上とを兼用させて効率良い構造を実現できるうえ、防虫効果を長期に維持できる木造建物の防虫構造を提供することにある。
【課題を解決するための手段】
【０００６】
上記課題を解決するために本考案は、木造建物において２つの構造材が連結される部分に設けられる防虫構造であり、第１の構造材（１２）に設けられたほぞ１６と、該ほぞ１６が嵌合される第２の構造材１４に設けられたほぞ穴１８と、該ほぞ１６をほぞ穴１８に嵌合した状態で該ほぞ１６とほぞ穴１８に対して直交する方向に差し込まれ、それらのほぞ１６とほぞ穴１８を同時に貫通して抜け止め固定する込み栓２２と、を備え、込み栓２２は、該込み栓２２の挿入先端側Ｆに設けられ固体状又は練り状の防虫剤３６を担持した先端薬剤部２４と、該込み栓２２の外周面に挿入先端側Ｆから挿入基端側Ｒに向けて長く形成され先端薬剤部２４から防虫成分を外周面に沿って誘導させうる１つ又は複数の誘導溝２６と、を有することを特徴とする木造建物の防虫構造１０から構成される。木造建物の防虫構造１０は、新設または既設の建物のいずれにも適用することができる。込み栓２２には予め液体状の防虫薬剤を浸漬又は注入させておいてもよい。込み栓２２の形状は多角柱状、円柱状等任意の形状でもよい。また、込み栓２２の挿入先端部Ｆは、先端に向けて次第にテーパ状に細くなるように設けられていると作業性が良い。また、ほぞ１６とほぞ穴１８とによる１つの連結部２０に複数の込み栓２２を差し込んで固定するようにしてもよい。シロアリは地面から土台、柱材と次第に上方に這い上がって来るので、土台と柱材との連結部分に適用するとシロアリ予防に効果的である。また、構造材の周面にも液体状の防虫剤を塗布してもよい。内外部の防虫剤による相乗効果で、より確実に建物の害虫被害を防止できる。
【０００７】
また、誘導溝２６内に固体状又は練り状の防虫剤３７を予め充填したこととしてもよい。誘導溝２６内に防虫剤３７を予め充填しておかなくてもよいが、予め充填しておく構成とすることで、高い防虫効果を長期間維持できる。
【０００８】
また、先端薬剤部２４は、込み栓２２の挿入先端から内部側に凹設され、防虫剤３６を内部に収容させる収容凹部３８を有することとしてもよい。収容凹部３８に収容させる際に、防虫剤３６全体を完全に収容してもよく、防虫剤３６の一部を収容凹部３８内に収容し残りの部分を外部に露出させるようにしてもよい。
【０００９】
また、収容凹部３８と誘導溝２６とは、込み栓２２の外周面側から内部側に向けて穿孔された連通孔４２で連通されるとよい。特に、収容凹部３８内に防虫剤３６全体を収容させた場合には連通孔４２を設けるとよい。
【００１０】
また、誘導溝２６は、込み栓２２の外周面を螺旋状に周回する螺旋溝４０を含むこととしてもよい。螺旋溝４０は１つでも複数個設けてもよい。
【００１１】
また、誘導溝２６は、込み栓２２の挿入先端側Ｆから挿入基端側Ｒに向けて直線状に長く形成された長溝４４を含むこととしてもよい。長溝４４は込み栓２２の周方向に複数個設けるとよい。
【考案の効果】
【００１２】
本考案の建物の防虫構造によれば、木造建物において２つの構造材が連結される部分に設けられる防虫構造であり、第１の構造材に設けられたほぞと、該ほぞが嵌合される第２の構造材に設けられたほぞ穴と、該ほぞをほぞ穴に嵌合した状態で該ほぞとほぞ穴に対して直交する方向に差し込まれ、それらのほぞとほぞ穴を同時に貫通して抜け止め固定する込み栓と、を備え、込み栓は、該込み栓の挿入先端側に設けられ固体状又は練り状の防虫剤を担持した先端薬剤部と、該込み栓の外周面に挿入先端側から挿入基端側に向けて長く形成され先端薬剤部から防虫成分を外周面に沿って誘導させうる１つ又は複数の誘導溝と、を有することから、第１構造材と第２の構造材の抜け止め固定する込み栓に防虫手段を兼用させることができる結果、構造材の連結部の耐震強度の向上に加えて、構造材の内部に侵入するシロアリやキクイムシ等による建物被害を良好に防止できる。すなわち、建物の強度向上と防虫機能とを兼用した耐震兼防虫構造を効率良い構造で具体的に実現できる。さらに、込み栓に防虫剤が一体的に設けられるので、ほぞとほぞ穴が嵌合する部分に該込み栓を差し込むだけで防虫剤の設置を同時に行えるので、作業工程が少なく、簡単、軽労力でかつ確実に施工することができる。また、込み栓を差し込んだ状態でも、誘導溝により込み栓の周囲にも防虫成分が広がるので、構造材内部で広い範囲に亘って高い防虫効果を期待できる。また、先端薬剤部にある程度多量の防虫剤を保持できるので、防虫効果を長期間維持できる。
【００１３】
また、誘導溝内に固体状又は練り状の防虫剤を予め充填した構成とすることにより、構造材内部で広い範囲に亘って高い防虫効果を期待できるとともに、防虫効果を長期間維持できる。
【００１４】
また、先端薬剤部は、込み栓の挿入先端から内部側に凹設され、防虫剤を内部に収容させる収容凹部を有する構成とすることにより、防虫剤を込み栓の先端側に確実に設けることができる。また、込み栓を保管管理、持ち運び、又は施工作業する際などに、防虫剤が脱落しにくく扱いやすい。
【００１５】
また、収容凹部と誘導溝とは、込み栓の外周面側から内部側に向けて穿孔された連通孔で連通された構成とすることにより、収容凹部に収容した防虫剤から防虫成分を連通孔を介して誘導溝内に確実に誘導できる。
【００１６】
また、誘導溝は、込み栓の外周面を螺旋状に周回する螺旋溝を含む構成とすることにより、簡単な構成で込み栓の全周囲に防虫成分を有効に機能させることができる。
【００１７】
また、誘導溝は、込み栓の挿入先端側から挿入基端側に向けて直線状に長く形成された長溝を含む構成とすることにより、込み栓の形状に左右されずに誘導溝を簡単な構成で実現できる。
【図面の簡単な説明】
【００１８】
【図１】本考案の第１の実施形態に係る建物の防虫構造の要部縦断面図である。
【図２】図１の建物の防虫構造の込み栓を差し込む前を示す説明図である。
【図３】図１の建物の防虫構造の正面図である。
【図４】図１の建物の防虫構造の分解斜視図である。
【図５】図１の建物の防虫構造の込み栓の拡大正面図である。
【図６】図５のＡ−Ａ線断面図である。
【図７】図５の込み栓の挿入先端側から見た側面図である。
【図８】込み栓の他の形態の説明図である。
【図９】込み栓の他の形態の説明図である。
【図１０】本考案の第２の実施形態に係る建物の防虫構造の込み栓の説明図である。
【図１１】図１０の込み栓の挿入先端側から見た側面図である
【図１２】込み栓の他の形態の説明図である。
【考案を実施するための形態】
【００１９】
以下、添付図面を参照しつつ本考案の建物の防虫構造の実施の形態について説明する。本考案の建物の防虫構造は、木造建物をシロアリやキクイムシ等の害虫の被害から防ぐための防虫構造である。図１ないし図６は、本考案に係る建物の防虫構造の第１の実施形態を示している。図１、図２、図３、図４に示すように、本実施形態において、木造建物の防虫構造１０は、例えば、木造軸組みの建物に適用されており、木材からなる２つの構造材（１２、１４）をほぞ１６とほぞ穴１８とを嵌合させて互いに連結させた連結部分（仕口部分）２０に設けられている。木造建物の防虫構造１０は、第１の構造材（１２）に設けられたほぞ１６と、第１の構造材（１４）に設けられたほぞ穴１８と、先端薬剤部２４及び誘導溝２６を有する込み栓２２と、を備えている。本実施形態では、例えば、第１の構造材が柱材１２、第２の構造材が土台１４の例で説明する。なお、第１、第２の構造材は柱材と土台に限定されず、建物において連結される任意の２つの構造材でもよい。
【００２０】
図１、図３、図４に示すように、木造建物では、図示しない基礎上に水平に架設された角材からなる土台１４の所定の位置に、角材からなる柱材１２を鉛直に立てて、いわゆるほぞ差し又はほぞ組みといわれる接合構造により連結されている。具体的には、柱材１２の下端（小口）には、例えば、柱材の長手方向に沿って突出した直方体状のほぞ１６が形成されている。図２、図４に示すように、ほぞ１６の略中心位置には、その長方形状の面に直交して貫通する円形の貫通孔が形成され第１栓穴要素２８としている。土台１４の中間位置（又は端部側）の柱材１２を受ける部位には、例えば、柱材１２のほぞ１６の形状に対応した形状で上下方向に貫通したほぞ穴１８が形成されている。土台１４には、ほぞ穴１８が設けられている位置に対応して、一方の外側面側１４ａからほぞ穴１８の貫通方向に対して直交するように水平方向に穿設された第２栓穴要素３０が設けられている。第２栓穴要素３０は、円形の穴からなるが、土台１４を幅方向に完全には貫通しておらず、他方の側面から少し材を残しためくら穴となっている。第１栓穴要素２８と第２栓穴要素３０との穴の直径の大きさは同じ大きさで設けられる。柱材１２のほぞ１６を土台１４のほぞ穴１８に嵌合した状態で、柱材のほぞ１６側の第１栓穴要素２８と土台１４側の第２栓穴要素３０とが連通し、めくら穴状の栓穴３２が構成されている。この栓穴３２に込み栓２２が差し込まれる。なお、栓穴３２の形成は、ほぞ１６とほぞ穴１８とを嵌合した状態でドリル等の工具で形成してもよい。また、ほぞ１６とほぞ穴１８とを嵌合する前に、予めそれぞれに同じ大きさの穴を形成しておいてもよい。
【００２１】
図１、図３に示すように、込み栓２２は、柱材１２のほぞ１６を土台１４のほぞ穴１８に嵌合した状態で、該ほぞ１６とほぞ穴１８に対して直交する方向に差し込まれる。そして、込み栓２２は、それらのほぞ１６とほぞ穴１８を同時に貫通して抜け止め固定する。図５、図６、図７に示すように、本実施形態では、込み栓２２は、防虫手段３４を一体的に備えている。込み栓２２の栓本体２３は、例えば、栓穴３２の内径と略同じ大きさの外径で細長円柱状の木製棒体からなる。込み栓２２の長さは、栓穴３２の深さ（長さ）と略同じ長さで形成される。栓本体２３には、予め液体状の防虫薬剤を浸漬又は注入させておくとよい。込み栓２２の挿入先端部Ｆは、先端に向けて次第にテーパ状に細くなるように設けられているとともに、先端薬剤部２４が一体的に設けられている。込み栓２２の挿入基端側端面は平坦面で設けられている。込み栓２２は、栓穴３２内にきつく嵌合状態でかつ栓穴３２の穴空間をほとんど埋めるように装填される。これにより、込み栓２２は、柱材１２のほぞ１６と土台１４とに跨ってほぞ１６とほぞ穴１８との嵌合状態を保持し抜け止め固定する。なお、差し込んだ後には、込み栓２２の基端面は土台１４の外側面１４ａと略面一になる。
【００２２】
込み栓２２は、先端薬剤部２４と、誘導溝２６と、を備えている。すなわち、本発明では、込み栓２２は、第１、第２構造材の連結部２０における抜け止め固定手段と、防虫効果を具現する防虫手段と、を同時に兼用している防虫機能付き込み栓といえる。防虫構造を施工する際には、ほぞ１６とほぞ穴１８に直交する栓穴３２を形成し、該栓穴３２内に込み栓２２を打ち込み等により差し込むだけで、簡単に防虫剤を適切な場所へ確実に設置することができる。
【００２３】
先端薬剤部２４は、込み栓２２の挿入先端側Ｆに設けられており、固体状又は練り状の防虫剤３６が担持されている。図６、図７に示すように、先端薬剤部２４は、例えば、栓本体２３の挿入先端側Ｆの端部から内部に凹設された収容凹部３８を有している。そして、先端薬剤部２４は、収容凹部３８内に練り状の防虫剤３６を充填して収容することにより構成されている。防虫剤３６は、例えば、常温で防虫成分が揮発するものが利用される。防虫剤３６は、例えば、シロアリやキクイムシ等の害虫を寄せ付けない周知の害虫忌避剤からなる。防虫剤３６は柱材１２、土台１４などの構造材の内部に設置されるので、建物室内の居住者等への薬害の影響は少ないと考えられる。したがって、強い防虫効果の薬剤を使用して高い防虫効果を期待することもできる。なお、防虫剤３６は、例えば構造材にすでに侵入している害虫を殺す害虫駆除剤等を使用してもよい。また、先端薬剤部２４は、収容凹部３８内に練り状の防虫剤ではなく固形状の防虫剤を嵌合状に収容して担持させてもよい。
【００２４】
誘導溝２６は、込み栓２２の外周面２２ａに形成された凹溝からなり、挿入先端側Ｆから挿入基端側Ｒに向けて長く形成されている。図４、図５に示すように、本実施形態では、誘導溝２６は、例えば、外周面を螺旋状に周回する１本の螺旋溝４０からなる。なお、溝幅や溝深さは、栓本体の強度を維持できる範囲で適宜設定される。螺旋溝４０の挿入先端側Ｆの一端部は、込み栓２２の径方向に貫通した、すなわち外周面から内部に向けて貫通した連通孔４２を介して収容凹部３８と連通している。よって、先端薬剤部２４の防虫剤３６を収容した収容凹部内部と螺旋溝４０（誘導溝２６）とは連通している。誘導溝２６は、先端薬剤部２４の防虫剤３６から揮発等する防虫成分を込み栓２２の外周面に誘導し、込み栓２２の長さ方向に亘って広い範囲に防虫効果を機能させることができる。さらに、本実施形態では、図１、図２に示すように、螺旋溝４０内には、予め込み栓を差し込む前に、練り状の（又は固形状の）防虫剤３７を充填している（なお、図４、図５等では説明のために防虫剤３７は省略している）。すなわち、防虫手段３４は、防虫剤３６を有する先端薬剤部２４と、誘導溝２６と、さらに誘導溝２６内に充填された防虫剤３７と、を含む。したがって、施工初期では、螺旋溝４０内の防虫剤３７が直接防虫効果を発揮する。螺旋溝４０は保持できる防虫剤３７の量が少ないので比較的短期間で防虫効果が低下するが、ある程度多量の防虫剤３６を担持した先端薬剤部２４から螺旋溝４０を介して防虫成分を行き渡らせ、長期間の防虫効果の維持を期待できる。なお、誘導溝２６は、１本の螺旋溝４０で構成する態様に限らず、例えば、図８に示すように、２本（又はそれ以上）の螺旋溝４０で形成してもよい。また、誘導溝２６は螺旋溝４０に限らず、例えば、図９に示すように、挿入先端側Ｆから挿入基端側Ｒに向けて外周面に沿って蛇行しながら形成された蛇行溝４６や、後述の実施形態のような直線状の長溝４４（図１０参照）等で構成してもよく、その他任意の溝でもよい。また、螺旋溝４２内に防虫剤３７を予め充填しておかなくてもよい。この際、例えば、固形状や練り状の防虫剤３６の一部を収容凹部３８から外部に突出させておき、込み栓２２を栓穴３２に打ち込んだ際に、防虫剤３６の突出している部分が栓穴３２の奥に突き当たり、穴壁と栓本体と挟まれながら誘導溝２６内に押し込まれるように誘導されて、防虫剤を誘導溝内に設置させるようにしてもよい。
【００２５】
本実施形態に係る木造建物の防虫構造１０を構築する際には、例えば、予め防虫剤３６、３７を保持させた込み栓２２を用意しておく。柱材１２のほぞ１６と土台１４のほぞ穴１８とを嵌合した状態でドリル等の工具により、ほぞとほぞ穴とに対して直交方向に栓穴３２を形成する。なお、嵌合する前に予め柱材のほぞと土台にそれぞれ穴を開けておいてもよい。そして、込み栓２２を該栓穴３２内に木槌等で打ち込んで差し込む。この込み栓２２の差込みといったシンプルで軽労力な作業だけで、簡便にかつ確実に防虫剤を所定位置へ設置させることができる。込み栓２２を差し込んだ状態では、栓穴３４の内部空間は略全て込み栓により埋まるとともに、込み栓２２によって柱材１２と土台１４とのほぞ組み接合を強固なものとし、例えば、地震等によりほぞ１６がほぞ穴１８から抜脱するのを防止でき強度の高い連結構造を構成できる。同時に、先端先端薬剤部２４及び誘導溝２６により、込み栓２２を差し込んだ部位の略全域に亘って広い範囲に防虫効果を発揮できる。その結果、シロアリが地面側から土台１４、柱材１２へと上へ這い上がるのを防止できる。特に、込み栓２２と一体的に防虫剤３６、３７を構造材の内部に設置するので、光や乾燥を嫌うシロアリが構造材の内部に侵入しようとするのを有効に防止できる。よって、建物の強度の向上とシロアリ等の防虫効果とを同時に備えた効率良い構造の耐震兼防虫構造を実現できる。また、全ての柱材の連結部２０について、木造建物の防虫構造１０を構築すると好適であり、より確実に害虫被害を防止できる。
【００２６】
次に、図１０、図１１を参照しつつ本考案に係る建物の防虫構造の第２の実施形態について説明する。第１の実施形態と同一構成については同一符号を付し、その詳細な説明を省略する。本実施形態に係る木造建物の防虫構造では、第１実施形態と略同じ構成であるが、込み栓２２ａの構成が異なっている。よって、本実施形態では、主に込み栓２２ａについて説明する。図１０、図１１に示すように、込み栓２２ａは、先端薬剤部２４と、誘導溝２６と、を有している。
【００２７】
先端薬剤部２４ａは、例えば、固形状の防虫剤３６ａが木製棒体からなる栓本体の先端から外部に突出するように担持されて構成されている。防虫剤３６ａの込み栓の挿入先端側Ｆへの固定は、例えば、接着剤で固定する方法、釘やピンで刺して固定する方法、又は第１実施形態のように収容凹部を形成して固形状の防虫剤の一部を嵌合する構造等のその他任意の固定手段でもよい。
【００２８】
誘導溝２６は、例えば、込み栓の挿入先端側Ｆから挿入基端側Ｒに向けて直線状に長く形成された４つの長溝４４からなる。本実施形態では、長溝４４は、図１１に示すように、周方向に所定間隔で配置されており、例えば、込み栓２２を先端側から見た際に９０度間隔ごとに形成されている。図１０にも示すように、長溝４４の挿入先端側Ｆの溝端部４４ａは、先端側Ｆに向けて切り欠いて先端方向に向けて開放するように形成されている。したがって、込み栓２２を柱材１２と土台１４の連結部２０に差し込んだ状態でも、切り欠いた溝端部４４ａを介して先端薬剤部２４の防虫剤３６ａからの防虫成分を長溝４４内に誘導でき、長溝４４を介した広範囲の防虫効果を期待できる。長溝４４は、挿入基端側Ｒに向けて次第に細くなるテーパ状に設けられている。なお、長溝４４は同一幅で形成してもよい。本実施形態では、長溝４４内には予め防虫剤は充填されていないが、第１実施形態同様に長溝４４内に防虫剤を充填してもよい。また、図１２に示すように、本実施形態でも第１実施形態同様に、誘導溝２６を螺旋溝４２で形成してもよい。この場合、螺旋溝４２の溝端部４２ａは、挿入先端側に向けてきり欠いて開放するように形成される。本実施形態でも、上記実施形態同様に、建物の強度の向上とシロアリ等の防虫効果とを同時に備えた効率良い構造の耐震兼防虫構造を実現できる等の作用効果を奏しうる。
【００２９】
以上説明した本考案の木造建物の防虫構造は、上記した実施形態のみの構成に限定されるものではなく、実用新案登録請求の範囲に記載した本考案の本質を逸脱しない範囲において、任意の改変を行ってもよい。
【産業上の利用可能性】
【００３０】
本考案の木造建物の防虫構造は、木造建築物においてほぞとほぞ穴とを嵌合させて接合される２つの構造材の連結部に好適に適用することができる。
【符号の説明】
【００３１】
１０    防虫構造
１２    柱材
１４    土台
１６    ほぞ
１８    ほぞ穴
２０    連結部分
２２    込み栓
２４    先端薬剤部
２６    誘導溝
３６    防虫剤
３８    収容凹部
４０    螺旋溝
４２    連通孔
４４    長溝
Ｆ    挿入先端側
Ｒ    挿入基端側
【図１】
0003159969.tif 000003
【図２】
0003159969.tif 000004
【図３】
0003159969.tif 000005
【図４】
0003159969.tif 000006
【図５】
0003159969.tif 000007
【図６】
0003159969.tif 000008
【図７】
0003159969.tif 000009
【図８】
0003159969.tif 000010
【図９】
0003159969.tif 000011
【図１０】
0003159969.tif 000012
【図１１】
0003159969.tif 000013
【図１２】
0003159969.tif 000014
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
木造建物において２つの構造材が連結される部分に設けられる防虫構造であり、
第１の構造材に設けられたほぞと、
該ほぞが嵌合される第２の構造材に設けられたほぞ穴と、
該ほぞをほぞ穴に嵌合した状態で該ほぞとほぞ穴に対して直交する方向に差し込まれ、それらのほぞとほぞ穴を同時に貫通して抜け止め固定する込み栓と、を備え、
込み栓は、該込み栓の挿入先端側に設けられ固体状又は練り状の防虫剤を担持した先端薬剤部と、
該込み栓の外周面に挿入先端側から挿入基端側に向けて長く形成され先端薬剤部から防虫成分を外周面に沿って誘導させうる１つ又は複数の誘導溝と、を有することを特徴とする木造建物の防虫構造。
【請求項２】
誘導溝内に固体状又は練り状の防虫剤を予め充填したことを特徴とする請求項１記載の木造建物の防虫構造。
【請求項３】
先端薬剤部は、込み栓の挿入先端から内部側に凹設され、防虫剤を内部に収容させる収容凹部を有する請求項１又は２記載の木造建物の防虫構造。
【請求項４】
収容凹部と誘導溝とは、込み栓の外周面側から内部側に向けて穿孔された連通孔で連通された請求項３記載の木造建物の防虫構造。
【請求項５】
誘導溝は、込み栓の外周面を螺旋状に周回する螺旋溝を含む請求項１ないし４のいずれかに記載の木造建物の防虫構造。
【請求項６】
誘導溝は、込み栓の挿入先端側から挿入基端側に向けて直線状に長く形成された長溝を含む請求項１ないし５のいずれかに記載の木造建物の防虫構造。